(57)【特許請求の範囲】
【請求項１】
ユーザの肌上において体毛をカットする第１の毛剃り動作を実行する肌係合カッタ（５）を有した、駆動可能な毛剃りユニット（３）；
前記毛剃りユニット（３）を駆動して前記第１の毛剃り動作を実行させるように適合されたモータ；
前記ユーザの肌と係合するように配置された鋭い切刃を有する湿式毛剃りブレード（１１）；および
前記鋭い切刃の前方に設けられた保護表面（５；１２；１３；１４；１５；２０）；
を備え、
前記毛剃りユニットを用いて前記第１の毛剃り動作を実行している間に、前記ブレードが第２の毛剃り動作を実行する毛剃り装置において、
前記駆動可能な毛剃りユニットが、互いに協動して体毛をカットする外刃および内刃（５，６；５ａ，６ａ；５ｂ，６ｂ；５ｃ，６ｃ；５，１７；１７，２０）を備え、
前記モータに接続されるとともに、前記ユーザの肌上において第３の毛剃り動作を実行するための肌係合カッタ（５ｃ）を有した、第２の駆動可能な毛剃りユニット（３ｃ）を備え、
前記ブレード（１１）が、前記第１の毛剃りユニットと第２の毛剃りユニットとの間に取り付けられている
ことを特徴とする毛剃り装置。
【請求項２】
前記ブレードが、ばね付勢力（１６７；２１０）に抗して後退できるように取り付けられている
ことを特徴とする請求項１に記載の毛剃り装置。
【請求項３】
前記第１の毛剃りユニットが短い体毛をカットするユニット（３ａ；３ｂ）として構成され、かつ前記第２の毛剃りユニットが長い体毛をカットするユニット（３ｃ；１５１）として構成されている
ことを特徴とする請求項１または２に記載の毛剃り装置。
【請求項４】
前記ブレード（１１ａ，１１ｂ；１９４，１９５）が前記長い体毛をカットするユニット（図６；図１５；図２１）に取り付けられている
ことを特徴とする請求項３に記載の毛剃り装置。
【請求項５】
前記モータに接続されるとともに第４の毛剃り動作を実行する短い体毛用のカッタとして構成された第３の駆動可能な毛剃りユニット（３ｂ）をさらに備え、
前記第２の毛剃りユニット（３ｃ）が、前記第１の毛剃りユニット（３ａ）と第３の毛剃りユニットとの間に配設されている
ことを特徴とする請求項３または４に記載の毛剃り装置。
【請求項６】
鋭い切刃を有する第２の湿式毛剃りブレード（１１ｂ）が、ユーザの肌と毛剃り係合するように配置されるとともに、第２の保護表面が前記第２の湿式毛剃りブレードの鋭い切刃の前方に配置されており、
これにより、前記駆動可能な毛剃りユニットを用いて前記第１の毛剃り動作を実行している間に、前記第２のブレードが第５の毛剃り動作を実行可能となっている
ことを特徴とする請求項５に記載の毛剃り装置。
【請求項７】
前記モータに接続されるとともに第４の毛剃り動作を実行する短い体毛用のカッタとして構成された第３の駆動可能な毛剃りユニット（３ｂ）をさらに備え、
前記第２の毛剃りユニット（３ｃ）が、前記第１の毛剃りユニット（３ａ）と第３の毛剃りユニットとの間に配設され、
鋭い切刃を有する第２の湿式毛剃りブレード（１１ｂ）が、ユーザの肌と毛剃り係合するように配置されるとともに、
第２の保護表面が前記第２の湿式毛剃りブレードの鋭い切刃の前方に配置されており、  これにより、前記駆動可能な毛剃りユニットを用いて前記第１の毛剃り動作を実行している間に、前記第２のブレードが第５の毛剃り動作を実行可能となり、
前記ブレード（１１ａ，１１ｂ；１９４，１９５）が、前記長い体毛をカットするユニット（図６；図１５；図２１）の両側にそれぞれ取り付けられている
ことを特徴とする請求項４に記載の毛剃り装置。
【請求項８】
前記ブレードが、その切刃から前方に延びる複数の指部（１３）をもたらしている保護部材（１０）上に取り付けられている
ことを特徴とする請求項１乃至７のいずれかに記載の毛剃り装置。
【請求項９】
前記指部の先端に沿って保護ワイヤ（１２）が取り付けられている
ことを特徴とする請求項８に記載の毛剃り装置。
【請求項１０】
前記毛剃りユニットが、その前記肌係合カッタ（５；５ａ；５ｂ；５ｃ）と係合して体毛をせん断するように取り付けられるとともに前記モータに接続されてそれにより駆動される内刃（６；６ｂ；６ｃ；１７）を有している
ことを特徴とする請求項１乃至９のいずれかに記載の方法。
【請求項１１】
前記内刃が、線形往復運動（図１）できるように取り付けられている
ことを特徴とする請求項１０に記載の毛剃り装置。
【請求項１２】
前記ブレードが、前記線形往復運動の方向と平行に取り付けられた真っ直ぐな切刃を有している
ことを特徴とする請求項１１に記載の毛剃り装置。
【請求項１３】
ユーザの肌上において第１の毛剃り動作を実行する、駆動可能な毛剃りユニット；
前記毛剃り要素を駆動して前記第１の毛剃り動作を実行させるように適合されたモータ；
前記ユーザの肌と毛剃り係合するように配置された、鋭い切刃を有する湿式毛剃りブレード；および
前記毛剃り用の鋭い切刃の前方に設けられた保護表面（５；１２；１３；１４；１５；２０）；
を備え、
前記駆動可能な毛剃りユニットを用いて前記第１の毛剃り動作を実行している間に、前記ブレードが第２の毛剃り動作を実行する毛剃り装置において、
前記駆動可能な毛剃りユニットが、ユーザの肌と接触する外刃（５；５ａ；５ｂ；５ｃ；１８１；１８２）と、前記外刃の下方において前記外刃と体毛剪断係合するように取り付けられて前記第１の毛剃り動作をもたらす内刃（６；６ａ；６ｂ；６ｃ；１７）とを有し；
前記モータが、前記内刃を駆動して前記第１の毛剃り動作を実行させるように適合されており、
前記モータに接続されるとともに、ユーザの肌に接触する外刃（５ｃ）、および前記外刃と体毛剪断係合するように取り付けられて第３の毛剃り動作をもたらす内刃（６ｃ）を有する、第２の駆動可能な毛剃りユニット（３ｃ）を備え、
前記ブレード（１１）が、前記第１の毛剃りユニットと第２の毛剃りユニットとの間に取り付けられている
ことを特徴とする毛剃り装置。
【請求項１４】
前記ブレードが、ばね付勢力（１６７；２１０）に抗して後退できるように取り付けられている
ことを特徴とする請求項１３に記載の毛剃り装置。
【請求項１５】
前記第１の毛剃りユニットが短い体毛をカットするユニット（３ａ；３ｂ）として構成され、かつ前記第２の毛剃りユニットが長い体毛をカットするユニット（３ｃ；１５１）として構成されている
ことを特徴とする請求項１３または１４に記載の毛剃り装置。
【請求項１６】
前記ブレード（１１ａ，１１ｂ；１９４，１９５）が、前記長い体毛をカットするユニット（図６；図１５；図２１）に取り付けられている
ことを特徴とする請求項１５に記載の毛剃り装置。
【請求項１７】
前記モータに接続されるとともに第４の毛剃り動作を実行する短い体毛用のカッタとして構成された第３の駆動可能な毛剃りユニット（３ｂ）をさらに備え、
前記第２の毛剃りユニット（３ｂ）が、前記第１の毛剃りユニット（３ａ）と第３の毛剃りユニットとの間に配設されている
ことを特徴とする請求項１５または１６に記載の毛剃り装置。
【請求項１８】
鋭い切刃を有する第２の湿式毛剃りブレード（１１ｂ）が、ユーザの肌と係合するように配置されるとともに第２の保護表面が前記第２の湿式毛剃りブレードの鋭い切刃の前方に配置され、
これにより、前記駆動可能な毛剃りユニットを用いて前記第１の毛剃り動作を実行している間に、前記第２のブレードが第５の毛剃り動作を実行可能となっている
ことを特徴とする請求項１７に記載の毛剃り装置。
【請求項１９】
前記モータに接続されるとともに第４の毛剃り動作を実行する短い体毛用のカッタとして構成された第３の駆動可能な毛剃りユニット（３ｂ）をさらに備え、
前記第２の毛剃りユニット（３ｂ）が、前記第１の毛剃りユニット（３ａ）と第３の毛剃りユニットとの間に配設され、
鋭い切刃を有する第２の湿式毛剃りブレード（１１ｂ）が、ユーザの肌と係合するように配置されるとともに第２の保護表面が前記第２の湿式毛剃りブレードの鋭い切刃の前方に配置され、
これにより、前記駆動可能な毛剃りユニットを用いて前記第１の毛剃り動作を実行している間に、前記第２のブレードが第５の毛剃り動作を実行可能となり、
前記ブレード（１１ａ，１１ｂ；１９４，１９５）が、前記長い体毛をカットするユニット（図６；図１５；図２１）の両側にそれぞれ取り付けられている
ことを特徴とする請求項１６に記載の毛剃り装置。
【請求項２０】
前記ブレードが、その切刃から前方に延びる複数の指部（１３）をもたらしている保護部材（１０）上に取り付けられている
ことを特徴とする請求項１３乃至１９のいずれかに記載の毛剃り装置。
【請求項２１】
前記指部の先端に沿って保護ワイヤ（１２）が取り付けられている
ことを特徴とする請求項２０に記載の毛剃り装置。
【発明の詳細な説明】
【技術分野】
【０００１】
本発明は、毛剃り（シェービング）作業の間に複数の毛剃り動作を実行する毛剃りシステム、毛剃り方法、並びに、それらの装置および方法に用いるブレードユニット部分組立体（サブアッセンブリ）およびカセットに関する。
【背景技術】
【０００２】
複数の網刃タイプのユニットを備えた毛剃りシステムは、例えば特許文献１（Wetzel他）によって公知であるが、この特許はまた長い毛のカッタと短い毛のカッタとの組合せを開示している。多数の毛剃り用の鋭いブレードを備えている毛剃りシステムもまた公知である。例えば、特許文献２は、２つの平行な毛剃り用の鋭いブレードを備えた毛剃りカートリッジを記載しており、かつ特許文献３（Apprille,Jr.）は３つの平行な毛剃り用の鋭いブレードを備えた毛剃りカートリッジを開示している。
【０００３】
剃刀の上部で網刃タイプの往復動毛剃りユニットの側方に、相互作用する一組のブレードを有した長い毛を刈り込むためのユニットを設けることもまた、例えば特許文献４（Hitachi Maxell）によって公知である。
【０００４】
フィリップス社によって販売されているような周知のロータリー式電気剃刀において、ロータリーカッタユニットに隣接して、あるいはその半径方向外側に、刈り込みのためではなく体毛を起立させるためのかき上げ縁部を配置することもまた公知である。特許文献５（Barish）を参照すると、各カッタ（図２０）を取り囲んでいるリブ状の薄くて鈍いかき上げ部材（２３２）、および数個のカッタを取り囲んでいる共通のかき上げ部材（２４２）（図２２を参照）が開示されている。その１３〜１５頁に記載されているように、これらのかき上げ部材は、毛をカットすることはなく、電気毛剃りカッタのスリット内に体毛が受け入れられる直前に肌をぴんと張ってこの体毛を起立させ、湿式（ウェット）毛剃りを行うための潤滑液と共に電気毛剃りを用いるときにより密着した毛剃りを生じさせる。しかしながら、そのような構造を乾式（ドライ）毛剃りモードのときに石鹸泡なしで用いると、それは肌の刺激を不都合に増加させる。
【０００５】
また、特許文献６（Barish）および特許文献７（Barish）により、そのようなかき上げ縁部を比較的鋭利なものとし、直角な縁部（１５ａ、図５参照）あるいは外側に延びる縁部（２５ｄ、図６参照）として成形するが、いずれの場合においても体毛をカットしないようにすることも公知である。それにもかかわらず、それは電気剃刀の通常の使用の間にかなりの皮層刺激を生じさせ、それは毛剃りする肌への接触を意味しない。むしろ、これらの文献が教示していることは、電気剃刀ユニットが毛を取り逃がしていると使用者が感じるときに、毛を立たせるためのかき上げ部材を選択的に係合させるために、（毛を立たせる縁部が係合しない毛剃り位置ＬＡと、毛を立たせるための縁部が係合して毛を立たせる傾斜位置位置ＬＡ′とを比較すると）電気剃刀を最初に斜めに傾けなければならないということである。しかしながら、それは同時にカッタユニットが効果的な毛の切断のために意図された角度配置にもはやないという短所を有する。実際、その他の実施例（図７〜図８）は、通常の毛剃りの間にかき上げ縁部が全く肌に触れないことを教示している。言い換えると、これらの記載された装置では、電気剃刀のカッタディスクの通常運転の間にかき上げ縁部を絶えず使おうとすると、ユーザは肌の刺激にさらされる。したがって、ユーザは、電気剃刀のカッタディスクが見逃したと確認する箇所における散発的な使用を除いて、密着した毛剃りから得られる利点をあきらめ、かき上げ縁部を肌に係合させるために傾斜させた製品による毛剃りを反復し、いくらかの刺激に耐えることになる。これもまたわずらわしく、かつ非効率的である。
【０００６】
他の装置が、特許文献８（Ebner）によって公知である。この公開公報が開示している電気剃刀は、一つの網刃タイプの往復運動毛剃りユニットと、この網刃タイプの毛剃りユニットが作動している間に取り逃がして流れてきた長い毛を取り除くために、電気剃刀動作を完了した後に休止位置（図５）から外側に延びる作動位置（図６）へと回動させることができる、毛剃りヘッドの凹所内においてメインの毛剃りユニットの側方に配設された補助ブレードエレメント（４）とを有している。この文献は、その８ページの、その開示の最後の段落において、この補助切断装置（４）は電池が放電したときの「非常用毛剃り」として配備されることを説明している。しかしながら、網刃タイプのカッタがブレードユニットと縦並びに用いられるべきであるという示唆はなく、かつこの毛剃りの幾何学的な配置はこのことを実行可能としていない。
【０００７】
体毛を操作するものとカット部材との組合せもまた、例えば特許文献９および特許文献１０（Pragt）によって公知である。
【０００８】
他のタイプの毛剃りシステムもまた公知である。例えば、特許文献１１（de Raemy）は、複数の切刃によって定められる円柱状の円弧状ブレード切断面と、カッタヘッドをその軸線回りに回転的に往復運動させるための手段とを備えた電気剃刀を開示している。好ましい実施例において、この往復動するカッタヘッドは円柱状に湾曲した外側切断網刃の下方に配置される。このタイプのさらに他の構造は、特許文献１２（Ascoli）および特許文献１３（Buchholz）に開示されている。
【０００９】
特許文献１４（Garenfeld 他）に開示されている、体毛を取り除くための他の回転機器は、体毛を掴むとともにその後で少なくとも部分的にそれを肌から引き抜くための回転クランプ装置を備えており、体毛は、別個の毛剃り、あるいは肌に隣接する静止毛剃りブレード（３３）および剪断関係において往復運動する剪断ブレード（３１）を有した体毛トリマー装置（１３、２９）によって肌に隣接して切断される。この装置は、この装置が従来の脱毛器のように機能するように往復する剪断トリマー（１３、２９）が駆動装置から分離されるモードに選択的にセットすることができる。
【００１０】
環状の鋭い毛剃り縁部がその上に設けられあるいはそれに取り付けられる別個のディスクに形成され、複数の開口を画成しているプレートを備えたブレード構造を毛剃りシステムに設けることもまた、様々な公開文献において提案されてきた。このタイプのシステムは、特許文献１５（Simms 他）、特許文献１６（Chylinski 他）、特許文献１７、特許文献１８、特許文献１９、および特許文献２０に開示されている。
【００１１】
特許文献２１（Simms）に開示されているように、切れなくなったブレードの廃棄およびカートリッジフレーム部品の再利用に環境的な利点を持たせるために、交換用に固定されている２枚のブレード部材を備える一対のブレード組立体を一つのユニットとして、湿式シェービングタイプの樹脂製剃刀のヘッドに設けることもまた提案されてきた。
【００１２】
【特許文献１】米国特許第６，０９８，２８９号明細書
【特許文献２】英国特許出願公開第１，４６０，７３２号明細書
【特許文献３】米国特許第５，６６１，９０７号明細書
【特許文献４】特開２０００−２８８２６７号公報
【特許文献５】国際公開第００／１３８５９号パンフレット
【特許文献６】米国特許出願公開第２００１／００２７６０８号明細書
【特許文献７】米国特許出願公開第２００１／００４２３０８号明細書
【特許文献８】独国特許出願公開第３４２８６３１号明細書
【特許文献９】国際公開第０１／０７２１２号パンフレット
【特許文献１０】国際公開第０１／０７２１３号パンフレット
【特許文献１１】英国特許出願公開第１，４４４，９６０号明細書
【特許文献１２】英国特許出願公開第１，４６９，５５６号明細書
【特許文献１３】英国特許出願公開第１，５３３，６７９号明細書
【特許文献１４】国際公開第９８／０７５５１号パンフレット
【特許文献１５】米国特許第５，６０４，９８３号明細書
【特許文献１６】米国特許第５，４９０，３２９号明細書
【特許文献１７】米国特許第３，７０２，０２６号明細書
【特許文献１８】米国特許第４，４８３，０６８号明細書
【特許文献１９】米国特許第４，８０７，３６０号明細書
【特許文献２０】米国特許第５，１５３，９９２号明細書
【特許文献２１】米国特許第５，５５１，１５３号明細書
【特許文献２２】スイス特許第１９９８５０号明細書
【特許文献２３】米国特許第５，０２２，１５４号明細書
【特許文献２４】西独国特許第１１８２５５４号明細書
【特許文献２５】西独国特許出願公開第２５０３１７５号明細書
【特許文献２６】米国特許第６，２２３，４３８号明細書
【特許文献２７】米国特許第３，９６７，３７２号明細書
【発明の開示】
【発明が解決しようとする課題】
【００１３】
良く知られているように、乾式毛剃りシステムは湿式毛剃りシステムが持たない利点を有しており、その逆もまた同じである。例えば、乾式毛剃りシステムは、ユーザにとって非常に便利であり、顔面に液体を塗布する必要がなくて快適である。その一方、湿式毛剃りシステムは、通常は石鹸のような潤滑剤の塗布を必要とし、一部のユーザにとっては乾式毛剃りシステムよりも不快感を生じさせる傾向にある。しかしながら、ほとんどのユーザにおいて、乾式毛剃りシステムよりも肌に密着した毛剃りを生じさせる。このような周知の利点および短所にもかかわらず、それに付随する短所なしに乾式毛剃りシステムおよび湿式毛剃りシステムの利点を組み合わせた複合型の毛剃りシステムを提供することは、これまで提案されたことはなかった。
【課題を解決するための手段】
【００１４】
本発明の一つの態様によると、ユーザの肌上において第１の毛剃り動作を実行する肌係合カッタを有した、駆動可能な毛剃りユニットであって、前記毛剃りユニットを駆動して前記第１の毛剃り動作を実行させるように適合されたモータ；および体毛をカットする毛剃りのためにユーザの肌と係合するように配置された、保護された毛剃り用の鋭い切刃を有しているブレード；を備え、前記毛剃りユニットを用いて前記第１の毛剃り動作を実行している間に、前記ブレードが第２の毛剃り動作を実行し、前記駆動可能な毛剃りユニットが、互いに協動して体毛をカットする外刃および内刃を備えることを特徴とする毛剃り装置が提供される。前記毛剃り用の鋭い切刃は、一般的に「湿式」毛剃りブレードと呼ばれるタイプである。一方、前記駆動可能な毛剃りユニットは「短い体毛をカットするユニット」構造であるか「長い体毛をカットするユニット」構造であるかに関わらず、「乾式」毛剃りと呼ばれるタイプである。
【００１５】
乾燥した冬の気侯において優勢である非湿潤状態は従来の電気剃刀にとって好都合であるが、より高い温度および湿度はより多くの水分を含んでより捕らえにくい体毛につながることが認められた。したがって、水分含有量が増加するにつれて、従来の「湿式」毛剃り用の鋭利なブレードを使用することの方が好都合である。しかしながら、本発明の構成は、さらに不利な温度／湿度条件下において、システム全体の効率が、湿っていない日におけるそれに近づくようにする。
【００１６】
ブレードが浮動可能に取り付けられる（すなわち、ばね取り付けされ、あるいは弾性支持上において付勢される）ことが特に好ましい。さらに、前記モータに接続されるとともにユーザの肌上において第３の毛剃り動作を実行するための肌係合カッタを有した、第２の駆動可能な毛剃りユニットを提供することが好ましく、前記ブレードは前記第１および第２の毛剃りユニットの間に取り付けられる。この構造において、前記第１の毛剃りユニットは短い体毛をカットするためのユニットとして構成することができ、前記第２の毛剃りユニットは長い体毛をカットするためのユニットとして構成することができる。そのような構造において、前記ブレードは、長い体毛をカットするユニット上に便宜的に取り付られる。あるいは、前記第１および第２の毛剃りユニットを同一のタイプ、例えば両方とも短い体毛をカットするユニットとすることができる。
【００１７】
特に好ましい実施例においては、第３の駆動可能な毛剃りユニットがモータに接続されるとともに短い体毛用のカッタとして構成されて第４の毛剃り動作を実行し、前記第２の毛剃りユニットは前記第１および第３の毛剃りユニット間に配設される。この構造において、保護されている第２の毛剃り用の鋭いブレードをユーザの肌と毛剃り係合するように配置することができ、その結果、前記駆動可能な毛剃りユニットを用いてそれ自身の毛剃り動作を実行している間に、この第２のブレードは第５の毛剃り動作を実行することができる。ブレードは、好ましくは長い体毛用のカッタユニットの両側にそれぞれ取り付けることができる。
【００１８】
各ブレードは、隣接する毛剃りユニットの一部、例えば網刃タイプのカッタの側面領域によって保護することができる。しかしながら、改良された安全性および快適性のために、各ブレードはそれぞれの保護部材に取り付けることができる。保護部材は、「湿式」毛剃り技術において公知のように、鋭利なブレードの範囲に対して略平行な樹脂製あるいは金属製の棒として構成することができる。あるいは、保護部材は、ブレードの切刃から前方に延びる複数の指部によって設けることができる。追加の安全対策として、保護ワイヤを指部の先端に沿って設けることができる。
【００１９】
一つの変形例において、各毛剃りユニットは、肌に係合する外刃と係合して体毛をせん断するように取り付けられ、かつモータに接続されてそれによって駆動される内刃を備える。各内刃は、線形往復運動のために取り付けることができる。この場合には、毛剃り用の鋭いブレードは、好ましくは、線形往復運動の方向と平行に取り付けられた真っ直ぐな切刃を有する。
【００２０】
本発明の別の態様によると、ユーザの肌に接触する外刃、および前記外刃と係合して体毛をせん断するように取り付けられて第１の毛剃り動作をもたらす内刃を有した、駆動可能な毛剃りユニット；前記内刃を駆動して前記第１の毛剃り動作を実行させるように適合されたモータ；および体毛をカットする毛剃りのためにユーザの肌と係合するように配置された、保護された毛剃り用の鋭い切刃を有しているブレード；を備え、前記駆動可能な毛剃りユニットを用いて前記第１の毛剃り動作を実行している間に、前記ブレードが第２の毛剃り動作を実行することを特徴とする毛剃り装置が提供される。前記ブレードは、好ましくは浮動可能に取り付けられる。
【００２１】
一つの実施例において、第２の駆動可能な毛剃りユニットは、モータに接続されるとともに、ユーザの肌に接触する外刃、および前記外刃と係合して体毛をせん断するように取り付けられて第３の毛剃り動作をもたらす内刃を有し、前記ブレードは、第１および第２の毛剃りユニットの間に取り付けられる。この実施例においては、前記第１の毛剃りユニットは好ましくは短い体毛をカットするためのユニットとして構成され、前記第２の毛剃りユニットは好ましくは長い体毛をカットするためのユニットとして構成される。あるいは、第１および第２の毛剃りユニットは同じものとして構成することができる。前記ブレードは、長い体毛をカットするユニット上に取り付られる。
【００２２】
他の実施例においては、モータに接続されるとともに、短い体毛用のカッタとして構成されて第４の毛剃り動作を実行する、第３の駆動可能な毛剃りユニットが提供される。前記第２の毛剃りユニットは、前記第１および第３の毛剃りユニットの間に配設される。
【００２３】
さらに他の実施例においては、保護されている第２の毛剃り用の鋭いブレードはユーザの肌と係合するように配置することができ、それによって、第２のブレードは、駆動可能な毛剃りユニットを用いてそれぞれの毛剃り動作を実行している間に、第５の毛剃り動作を実行することができる。
【００２４】
さらに他の変形例において、ブレードは、長い体毛用のカッタユニットの両側にそれぞれ取り付けられる。図示の実施例においては、第２および第５の毛剃り動作がおのずと同時に生じないように、第１および第２の毛剃り用の鋭いブレードが反対側を向いている。
【００２５】
改良された快適性および安全性のために、各ブレードは、その切刃から前方に延びる複数の指部をもたらしている保護部材上に取り付けることができる。追加の安全対策として、保護ワイヤを指部の先端に沿って取り付けることができる。
【００２６】
好ましくは、各内刃は、線形往復運動のために取り付けることができる。
【００２７】
本発明のさらに他の実施例によると、ユーザの肌上において第１の毛剃り動作を実行する駆動可能な肌係合カッタを有した毛剃りユニット；前記カッタを駆動して前記第１の毛剃り動作を実行させるように適合されたモータ；およびユーザの肌と係合して体毛をカットするように配置された鋭い切刃を有する、保護された毛剃りブレード；を備え、前記毛剃りユニットを用いて前記第１の毛剃り動作を実行している間に、前記ブレードが第２の毛剃り動作を実行し、前記駆動可能な肌係合カッタが、駆動されて回動運動できるよう軸線の回りに取り付けられ、かつ前記保護表面が、前記駆動可能な肌係合カッタと前記毛剃りブレードの鋭い切刃との間に配設されていることを特徴とする毛剃り装置が提供される。
【００２８】
前記ブレードは、好ましくは浮動可能に取り付けられ、かつ切断ユニット上に便宜的に取り付けられる。
【００２９】
一つの実施例においては、第２の毛剃りユニットが、モータに接続されるとともに、ユーザの肌上において第３の毛剃り動作を実行するための駆動可能な肌係合カッタを有し、前記ブレードは、第１および第２の毛剃りユニットの間に取り付けられる。さらに他の変形例において、第３の駆動可能な毛剃りユニットは、モータに接続されるとともに、第１および第３の毛剃りユニットの間に配設されて、この装置を使用する間に第４の毛剃り動作を実行する。
【００３０】
さらに他の変形例において、第２の保護されている毛剃り用の鋭いブレードは、この毛剃りユニットを使用する間に前記第２の毛剃り動作に類似した第５の毛剃り動作を実行するように配置される。
【００３１】
好ましくは、前記ブレードは、第３の毛剃りユニットの両側にそれぞれ取り付けられる。
【００３２】
改良された快適性および安全性のために、各ブレードは、その切刃から前方に延びる複数の指部をもたらしている保護部材上に取り付けることができる。追加の安全対策として、保護ワイヤをこれらの指部の先端に沿って取り付けることができる。
【００３３】
本発明の別の態様によると、駆動可能な毛剃りユニットのカッタに肌を係合させる段階；前記毛剃りユニットを駆動して、体毛をせん断する第１の毛剃り動作を実行する段階；前記体毛を剪断する第１の毛剃り動作の間に、鋭い切刃を有する毛剃りブレードにより体毛をカットする第２の毛剃り動作を実行する段階；を備え、前記駆動可能な毛剃りユニットが、互いに協動して体毛をカットする外刃および内刃を備えている、毛剃り方法が提供される。
【００３４】
駆動可能な毛剃りユニットは、ユーザの肌と接触する外刃、および前記外刃と共に体毛をせん断するように取り付けられる内刃を備える。この場合、モータが内刃を駆動して第１の毛剃り動作を実行する。
【００３５】
他の実施例においては、毛剃りユニットは、ユーザの肌上において第１の毛剃り動作を実行するために、駆動可能な肌係合カッタを備える。その場合、モータがカッタを駆動して前記第１の毛剃り動作を実行する。
【００３６】
本発明のさらに他の実施例によると、毛剃り用の鋭いブレードの縁を支持するとともに電気剃刀ヘッドのフレームに装着可能なブレードユニット部分組立体が提供される。このことは、毛剃り用の鋭い縁部が切れなくなった場合に交換できるようにする交換部品を提供する。いくつかの実施例において、この部分組立体は、一対のブレード支持部と、互いに逆方向を向いている一対の鋭いブレード縁とを有し、好ましい実施例においては、付勢されて変位するように取り付けられる。他の実施例において、この部分組立体は、ばね付勢されたブレードを支持し、好ましくは毛剃りヘッドの外側表面に取り付けられる。
【００３７】
本発明のより良い理解のために、またそれがどのようにして実施されるかを示すために、例証として、添付の図面を参照する。
【発明を実施するための最良の形態】
【００３８】
図１に示す毛剃り装置はハウジング１を有しており、その下方には全般的に参照符号２で示されるモータおよび駆動系が取り付けられている。周知のように、ハウジング１は、交換のために、その内部にモータおよび動力伝達装置が取り付けられている本体ハウジングから取り外し可能とすることができる。この毛剃り装置の作動部品は網刃タイプの往復動毛剃りユニット３およびブレードタイプの毛剃りユニット４である。網刃タイプの往復動毛剃りユニット３は、網刃５および内刃６を有している。網刃５は、例えばリベットにより、取付点７および８においてハウジング１に取り付けられている。内刃６はブロック９上に取り付けられているが、このブロック９は、モータおよび駆動系２に接続されるとともに、図示されないばねによって実質的に通常の方法で網刃５と接触するように付勢されている。ブレードユニット４は、ブレード支持部材１０と、網刃５の近くに配置された毛剃り用の鋭い切刃をもたらしているブレード要素１１とを有している。この毛剃り用の鋭い切刃は湿式毛剃り用の毛剃りブレードと一般的に呼ばれるタイプのものであり、体毛をカットしあるいはスライスすることができ、好ましくは支持されていない乾燥した体毛をカットしあるいはスライスすることができる。支持体１０は、網刃５とハウジング１の内側表面との間に締め付けられることにより、ハウジング１に固定されている。図１中の領域Ａは、図１ａに拡大スケールで示されている。
【００３９】
毛剃り装置が作動している間に、ユーザは、肌の表面を横切るように乾式毛剃りユニット３を引張ることにより従来通りの方法で毛剃りする。この操作の間、体毛はまたブレード１１の毛剃り用の鋭い切刃と係合して二重のあるいは複合型の毛剃り動作が生じ、乾式毛剃り型の第１の動作と湿式毛剃り型の第２の動作とが一緒に実行される。ブレードユニット４は、２つの機能のいずれかあるいは両方を実行することができ、第１に、より密着した毛剃りが生じるように乾式毛剃りユニット３によってすでにカットされた体毛の２回目の切断を実行し、第２に、網刃タイプのカッタが取り逃がしたあらゆる長い体毛を捕捉してカットするように作動する。ユーザは、体毛あるいは肌を濡らしあるいは石鹸の泡を塗る必要なしにこの利益を享受し、何回も往復させ、この装置を異なる角度配置に保持し、「乾式」および「湿式」タイプの体毛除去ユニットのうち異なるものを選択して係合させる。しかしながら、必要に応じて調整（コンディショニング）段階を含めることができる。この調整は、水を含ませること、潤滑あるいは肌および／または剃られる体毛を準備するための他の任意の手段を含むことができ、かつ水の使用を含みあるいは含まないことができる。石鹸の泡を塗ることは、体毛に水を含ませることを助け、かつ肌との摩擦を減少させる石鹸、ゲル、油あるいは軟化剤のような薬剤を含むことができる。
【００４０】
乾式毛剃りユニットは、米国特許第６，０９８，２８９号明細書（Wetzel）に開示されている、特に外側に孔が開いている毛剃り網刃と往復動式の内刃とを有するタイプとすることができる。なお、このことはこの参照によって本願明細書に組み入れられたものとする。この毛剃りユニットはまた、米国特許第５，７４５，９９５号明細書（Yamashita他）によって周知のような、日立の名前で市販されている１つ若しくは複数のロータリーカッタを有するタイプとして構成することができる。このことも同様にこの参照によって本願明細書に組み入れられたものとする。網刃タイプのカッタユニット３とブレードユニット４とが非常に接近している結果、ブレード１１は、網刃５の表面の一部によって少なくともある程度は保護される。したがって網刃５は、湿式毛剃りの用語において一般的に保護表面と呼ばれる機能を果たす。ブレード１１と、両方のユニットによって毛剃りされる皮膚表面に沿って概ね横たわる網刃５の保護表面との接線方向に仮想面Ｐを作ることができる。寸法および幾何学な配置は、この構成が十分に安全であるように選択される。
【００４１】
しかしながら、さらに他の安全性および快適さを提供するために、様々な技術を採用することができる。
【００４２】
図２は、図１に類似した構成を示しているが、ブレードにワイヤ１２の巻き付けが設けられている点に特徴がある。これは、毛剃り用の鋭い切刃に追加の保護をもたらして、ユーザのための安全レベルを高める。特許文献としての米国特許第５，３０５，５２６号明細書はこの特徴を代表しているが、このことはこの参照によって本願明細書に組み入れられたものとする。
【００４３】
図３は、安全性および快適さを改良するための他の方法を示している。ここで、ブレード支持部材１０は、複数の指部１３あるいは「安全スキー」の形態で、ブレード１１の鋭い縁部を越えて延びている。特許文献としての国際公開第９８／３５７９５号パンフレットはこの特徴を代表しているが、このことはこの参照によって本願明細書に組み入れられたものとする。
【００４４】
図４の実施例においては、その他の点は図３に類似しているが、図１２および図１３に最も良く示されているように、安全スキーの指部１３の先端に沿って接続されている長手方向に延びるワイヤ１４を設けたことにより、安全性および快適さがさらに高められている。
【００４５】
図５の実施例は、その他の点は図１の実施例に類似しているが、図１４により良く示されているように、エッチングされて研摩された保護部材１５が設けられている。これは、誤って切ることを防止する肌保護装置として作用する。
【００４６】
図６は、３つの往復動式網刃タイプ毛剃りユニット３ａ、３ｂおよび３ｃを備えている３重ヘッドの毛剃りに、２つの毛剃り用の鋭いブレードを如何にして組み込むことができるかを示している。ユニット３ａおよび３ｂは、図１〜図５にそれぞれ示されている毛剃りユニット３と本質的に同様であり、短い体毛をカットするように構成されている。しかしながら、毛剃りユニット３ｃは、特に長い体毛を毛剃りするように構成されかつ適合されている。それは、外側の肌係合カッタ５ｃおよび往復動式の内刃６ｃを備えている。３つの毛剃りユニット３ａ、３ｂおよび３ｃの全てが、ハウジング内の共通の駆動モータに接続されている。短い体毛用のカッタおよび長い体毛用のトリマは、米国特許第６，０９８，２８９号明細書（Wetzel）および米国特許第５，６６９，１３８号明細書（Wetzel）に開示されており、それぞれがこの参照によって本願明細書に組み入れられるものとする。
【００４７】
この実施例においては、２つの別個のブレードユニット４ａおよび４ｂが、長い体毛をカットするためのユニット３ｃの両側に設けられている。図示したように、各ブレードユニットには安全スキーおよび保護ワイヤが設けられており、したがって図４、図１２および図１３に示されている構造に実質的に対応している。
【００４８】
図７、図８および図９は、本発明の思想が、ロータリー式の網刃タイプ毛剃りにどのように適用されるかを示している。
【００４９】
図７が示している単一回転式の毛剃りユニットは、静止している外刃５を有しており、その下方においては回転式の内刃がハウジング内のモータによって連続的に回転駆動されている。回転式の毛剃りユニットを取り囲むように、毛剃りユニットに向かって内側に対向している環状の鋭いブレード１１が設けられている。
【００５０】
図８は、図７に示されているものに対応する回転式毛剃りシステムを示しているが、ここでは環状の鋭いブレードが回転式毛剃りユニットから外側を向いている。
【００５１】
図９の実施例においては、図７および図８に示されているものに対応する、単一の回転式毛剃りユニットが設けられている。しかしながら、それは、多数の環状をなす内向きの鋭いブレード１１によって取り囲まれている。特許文献としての米国特許第５，４９０、３２９号（Chylinski他）は類似した環状のブレードを開示している。なお、その内容はこの参照によって本願明細書に組み入れられるものとする。
【００５２】
図１０は、例えば英国特許公開第１５３３６７９号明細書、同１４６９５５６号明細書、および同１４４４９６０号明細書に開示されている回転式の円筒カッタあるいは揺動式の円筒カッタを有するタイプの毛剃りシステムに、本発明の思想がどのように適用されるかを示している。なお、これらの特許公開公報の内容については、この参照によって本願明細書に組み入れられるものとする。毛剃りシステムは、外側の網刃５と、ばね（図示せず）によって網刃５と接触するように弾性的に付勢され得る内刃１７とを備えている。この内刃は、複数の長手方向に延びるベーンないしブレード１８を有し、軸線１９の回りに揺動するように取り付けられている。この装置において、ブレードユニット４は、図４および図６に示されているものと本質的に同一に構成されている。いくつかの構造においては、例えば図１１に示したように円筒カッタが適切に保護される場合には、網刃を省略することができる。図１１において、ハウジング１の一部は、保護部材２０を形成するために円弧状に延びている。この構造においては、荷重を受けると後退できるようにするために内刃を弾性支持部上に取り付けることができるが、保護部材２０と接触するようにブレード１８を付勢することは好ましくない。
【００５３】
図１５は本発明のさらに他の実施例を示しており、一組の毛剃り用の鋭いブレードが、図６に示したような一般的な３重ヘッド乾式毛剃りユニットに取り付けられている。図１５は、網刃フレーム１５０、中央の長い体毛用カッタユニット１５１、およびブレードカセットユニット１５２の３つの部品だけからなる網刃フレーム組立体を示している。フレーム１５０および中央の長い体毛用のカッタユニット１５１の構造は、実質的に従来通りである。網刃フレーム１５０は、一組の短い体毛用カッタユニットの各外刃を構成する一組の網刃１５３、１５４を支持している。長い体毛用のカッタユニット１５１およびブレードカセットユニット１５２は、網刃１５３，１５４間に存在している溝状の開口に取り付けられている。
【００５４】
ブレードカセット装置１５２の更なる詳細は、図１６および図１７から得ることができる。図１６は、図１４に示したタイプのエッチングされかつ研摩された保護部材１６０，１６１を有する、ブレードカセットユニットの詳細を拡大して示している。保護部材１６０，１６１は、それぞれ一組のブレード支持部材１６２，１６３と一体に形成されている。ブレード支持部材１６２，１６３は、毛剃り用の鋭いブレード１６４，１６５をそれぞれ支持している。ブレード１６４，１６５の鋭い切刃は、図１５に示した短い体毛用の各カッタユニットの方向で外側に向けられている。図１７は、エッチングされかつ研摩された保護部材１６０，１６１の詳細が見えなくなることを回避するために、同一のブレードカセットユニットを、ブレードを取り除いた状態で示している。ブレード支持部材１６２，１６３は一組のウェブ１６６を介して一体に接続して組立体を形成することができ、毛剃り用の鋭利なブレードの便利な組み立て、および使用によって切れなくなったときのユニットとしての交換を容易なものとする。各ウェブ１６６から細長い舌片１６７、１６８が延びている。舌片１６７、１６８は、網刃フレーム上の溝にぱちんと嵌るばねを構成し、弾力的な付勢による垂直方向の変位をもたらす。
【００５５】
図１８が示している網刃フレーム１８０は、一組の網刃１８１，１８２を支持して一組の短い体毛用カッタユニットの外刃を構成している。網刃１８１，１８２間に配置されている長い体毛用のカッタユニット１８３は、一組の外側に向けられた毛剃り用の鋭いブレード１８４，１８５をその外刃上に支持している。中央の長い体毛用のカッタユニットは、毛剃り用の鋭いブレード１８４，１８５と共に、図１９により良く示されている。図１９は、中央の長い体毛用カッタユニット１８３の上側表面上の角度が付けられている凹部に、ブレード１８４，１８５がどのように取り付けられているかを明瞭に示している。あるいは、図２０および図２１に示したように、ブレード１９４、１９５は、長い体毛用のトリマユニットの側壁を形成する支持部１９１，１９２上の、図１５に示したのと同様な位置に取り付けることができる。図示したように、ブレード１９４、１９５は、図１２および図１３に関連して説明した安全性スキーシステムを用いて保護されている。
【００５６】
図１５あるいは図１８〜図２１に示した実施例のいずれにおいても、長い体毛用のトリマユニットは、横方向に延びるアームによって毛剃りヘッドフレームに取り付けることができる。このアームの幅狭の端部（ユニット１５１の端部に見ることができる）は、ブラウン社により「Ｆｌｅｘ  Ｉｎｔｅｇｒａｌ」の商品名で販売されている電気「乾式」剃刀の商業モデルのように、長い体毛用のトリマユニットがばね付勢下において上下方向に変位することができるように、例えばスナップ嵌合によって隙間を有して、あるいはブラウン社により「Ｓｙｎｃｈｒｏ」の商品名で販売されている電気「乾式」剃刀の商業モデルのように、上下方向の変位がもしあったとしても僅かであるように、大きな隙間を開けることなくヘッドフレームの各溝内に受容される。長い体毛用のトリマが毛剃りヘッドフレームに対して相対運動する場合、ばね付勢は、米国特許第６，０９８，２８９号（Wetzel）の図３〜図３Ａに示されていて一般的に知られているように、ばねに装着された可動内刃６ｃに取り付けられている逆「Ｖ」字形の継手ブロックに受容される、毛剃りの駆動ピンによってもたらすことができる。
【００５７】
図２２は、本発明のさらに他の実施例の網刃フレームを、一組の網刃および中央の長い体毛用のカッタユニットと共に示している。図２２において、網刃フレーム２００は、第１および第２の網刃２０１，２０２を支持しており、それらの間には実質的に従来通りの長い体毛用のカッタユニット２０３が取り付けられている。この網刃フレーム２００の外側には、それぞれ独立して懸架される毛剃り用の鋭いブレード２０４，２０５が取り付けられている。ブレード２０４は、その固定装置と共に図２３により良く示されている。図示のように、このブレード２０４は、エッチングされかつ研摩されたブレード支持部および図１４に示したタイプの安全構造の上に取り付けられている。このブレード支持部は、プレート２０６に固定されあるいは一体的に形成され、プレート２０６は一対の細長いガイド２０７，２０８をもたらしているＵ字形フレーム２１１にはめ込まれている。プレート２０６は、その下端２０９において、フレーム２１１に保持されている単一のリーフスプリングあるいは線ばね２１０上に取り付けられている。このように、ブレードおよびその支持部は、ユーザの肌との接触によって負荷される力に応答してブレードおよびその支持部が後退できるように弾性的に取り付けられている。このことは、ブレードとユーザの皮膚との間に比較的一定な接触力が維持されることを助ける。ブレードおよび固定装置は、好ましくはブレードの毛剃り用の鋭い切刃が切れなくなったときに、このブレードおよび固定装置が取り外し可能で交換可能であるように、例えば一体にモールド成形することによって一体とし、あるいは、例えば溝とピンの構造、スナップ嵌めピンあるいはリベットのような取付構造によってフレーム２００に取り付けられる。
【００５８】
上述した実施例のいずれにおいても、毛剃り用の鋭いブレードとユーザの肌との間の摩擦を減少させ、その結果として毛剃りの快適さを改善するために、潤滑剤あるいは他の調整剤のディスペンサ、あるいは潤滑剤の条片を設けることができる。適切な条片は、鋭利なブレードの後方に取り付けられ、かつポリエチレンオキシド（ｐｏｌｙｏｘ）を含有する。
【００５９】
ブレードに関しては、図１〜図６および図１０〜図２３に示した実施例においては、ジレット社によりＳｅｎｓｏｒおよびＳｅｎｓｏｒ Ｅｘｃｅｌの商品名で市販され、あるいは米国特許第５，６６１，９０７号明細書（Apprille,Jr.）に開示され、またはＭａｃｈ３の商品名で市販されているジレット社の製品に用いられているような、本質的に普通の毛剃りブレードを利用することができる。なお、この特許の内容はこの参照によって本願明細書に組み入れられたものとする。
【００６０】
そのようなブレードの鋭さは、当業者にとって公知であるように、従来通りに歯先の先端半径によって定められる。従来の方法で測定すると、歯先の先端半径は典型的に０．５ミクロン未満であるが、それは比較的鈍いブレードであり、０．５ミクロン〜５０ナノメートル（すなわち０．０５ミクロン）の範囲にあると、それは比較的鋭利である。本発明の実施例において、ブレードの鋭さは、当業者に良く知られているように、所望するカット効果に応じて、これらの値の間のいずれかとすることができる。いくつかの状況下においては、０．０５ミクロンより小さい歯先の丸みを有することがさらに有利である。
【００６１】
従来のＳｅｎｓｏｒ、Ｓｅｎｓｏｒ  ＥｘｃｅｌあるいはＭａｃｈ３のブレードを、本願明細書に開示されている実施例において乾式で用いると、切れなくなるまでの寿命が短いことが判明した。したがって、そのようなブレードに類似した幾何学的な形状を有するが、そのような標準的な「湿式」ブレードよりも先端領域において厚い、例えば以下の表１に示した幾何学的形状を有するブレードを使用することが好ましい。
【００６２】
特に好ましいブレードは、以下の表１に定められている先端断面を有する、クロム／白金コーティングされたステンレス鋼ブレードである。
【００６３】
表１
先端部からの距離（マイクロメートル）    ブレードの幅（マイクロメートル）
１                                          ０．６８
２                                          １．２５
４                                          ２．２７
８                                          ４．２２
１６                                          ７．７８
２０                                          ９．５２
【００６４】
上述した実施例のいずれにおいても、毛剃り用の鋭利なブレードあるいはブレード（該当する場合にはそのブレードを取り付ける支持部）を支持するフレームあるいはハウジングを備える部分組立体は、乾式タイプ毛剃りユニットの（図１に示されている外側網刃のような）少なくとも一つの外刃、あるいは（図１５に示されている長い体毛用のトリマーのような）乾式タイプ毛剃りユニットの全体と共に、鋭利なブレードが切れなくなったときに交換できる交換可能部品を集合的に画成することができる。
【００６５】
前述した明細書は、本発明を具現化する多様かつ可能な構造を示す数多くの実施例および変形例を説明している。前述した開示に基づいてさらに他の変形例および実施例を思いつくことは、当業者にとっては容易なことである。そのような全ての実施例および変形例は、以下の請求の範囲によって定められる本発明の範囲内にあると考えられるべきである。
【図面の簡単な説明】
【００６６】
【図１】本発明の第１実施例の毛剃り装置の断面図。
【図１ａ】図１中のＡ部を拡大して示す図。
【図２】本発明の第２実施例の毛剃り装置の断面図。
【図３】本発明の第３実施例の毛剃り装置の断面図。
【図４】本発明の第４実施例の毛剃り装置の断面図。
【図５】本発明の第５実施例の毛剃り装置の断面図。
【図６】２つの網刃タイプの毛剃りユニットおよび中央のトリマーユニットが設けられている、本発明の第６実施例の毛剃り装置の断面図。
【図７】本発明の第７実施例の回転式毛剃り装置を模式的に示す等角投影図。
【図８】本発明の第８実施例の回転式毛剃り装置を模式的に示す等角投影図。
【図９】本発明の第９実施例の回転式毛剃り装置を模式的に示す等角投影図。
【図１０】本発明の第１０実施例の毛剃り装置の横断面図。
【図１１】本発明のさらに他の実施例である図１０の装置の変形例を示す図。
【図１２】図４の実施例に用いられている保護およびブレード支持部材を、ブレードを取り除いた状態でより詳細に示す図。
【図１３】図１２の保護およびブレード支持部材を、ブレードを取り付けた状態で示す図。
【図１４】図５の実施例に用いられている保護をより詳細に示す図。
【図１５】中央の長い体毛をカットするためのユニットおよびブレードカセットユニットを有する、本発明のさらに他の実施例の網刃フレーム組立体の分解斜視図。
【図１６】エッチングされたかつ研摩された保護をブレードを取り付けた状態で示す、図１５のブレードカセット装置の拡大詳細図。
【図１７】エッチングされかつ研摩された保護をブレードを取り除いた状態で示す、図１５のブレードカセット装置の拡大詳細図。
【図１８】中央の長い体毛をカットするためのユニットが中央に取り付けられたブレードを支持している状態で示す、本発明のさらに他の実施例の網刃フレームの図。
【図１９】図１８の実施例における使用のために頂部の角度が付けられている凹部内にセットされた、外側に対向するブレードを有した状態で示す中央の長い体毛をカットするためのユニットを示す図。
【図２０】図１８の実施例の変形例における使用するための、保護されている安全スキーおよび外刃の各側壁に固定されたブレードを有している、中央の長い体毛をカットするためのユニットの下側３／４を示す図。
【図２１】図２０の中央の長い体毛をカットするためのユニットの上側３／４を示す図。
【図２２】短い体毛をカットするためのユニットの一組および長い体毛をカットするための中央のユニットを支持している網刃フレームを、本発明のさらに他の実施例の網刃フレームの外側側面に取り付けられたガイド内に配置された２つの外側に独立に懸架されたブレードと共に示す図。
【図２３】図２２の実施例における使用のために支持案内システム内に配置された、単一の横向きばね上に取り付けられている独立に懸架された外側のブレードを示す図。
【図１】
0004790267.tif 000002
【図１ａ】
0004790267.tif 000003
【図２】
0004790267.tif 000004
【図３】
0004790267.tif 000005
【図４】
0004790267.tif 000006
【図５】
0004790267.tif 000007
【図６】
0004790267.tif 000008
【図７】
0004790267.tif 000009
【図８】
0004790267.tif 000010
【図９】
0004790267.tif 000011
【図１０】
0004790267.tif 000012
【図１１】
0004790267.tif 000013
【図１２】
0004790267.tif 000014
【図１３】
0004790267.tif 000015
【図１４】
0004790267.tif 000016
【図１５】
0004790267.tif 000017
【図１６】
0004790267.tif 000018
【図１７】
0004790267.tif 000019
【図１８】
0004790267.tif 000020
【図１９】
0004790267.tif 000021
【図２０】
0004790267.tif 000022
【図２１】
0004790267.tif 000023
【図２２】
0004790267.tif 000024
【図２３】
0004790267.tif 000025